(57)【要約】  データ伝送方法、端末及びネットワーク機器を提供する。本開示の伝送方法において、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信することと、第２指示情報によって指示されるプリコーディング行列に基づいて、ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信することとを含む。【選択図】  図４
2021533701.tif 000002
【特許請求の範囲】
【請求項１】
アップリンク伝送用の少なくとも２つのアンテナパネルが構成された端末に応用されるデータ伝送方法であって、
物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信することと、
前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信することとを含む、データ伝送方法。
【請求項２】
前記のＰＵＳＣＨスケジューリング情報をネットワーク機器から受信することの前に、
前記少なくとも２つのターゲットアンテナパネルでアナログビームを使用してビームトレーニング信号リソースを送信することと、
ネットワーク機器によって指示される前記ターゲットアンテナパネルの各々に対応するターゲット送信ビームであって、前記ビームトレーニング信号リソースからネットワーク機器によって得られるターゲット送信ビームを取得することと、
各ターゲットアンテナパネルで、前記ターゲットアンテナパネルに対応するターゲット送信ビームを使用して、チャネル状態情報ＣＳＩ取得用の上り信号リソースを送信することとを更に含み、
前記ＰＵＳＣＨスケジューリング情報は、前記上り信号リソースに基づいてネットワーク機器で得られたものである、請求項１に記載のデータ伝送方法。
【請求項３】
前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項２に記載のデータ伝送方法。
【請求項４】
前記の各ターゲットアンテナパネルで、前記ターゲットアンテナパネルに対応するターゲット送信ビームを使用して、チャネル状態情報ＣＳＩ取得用の上り信号リソースを送信することは、
ネットワーク機器によって指示されるポートとターゲット送信ビームとの対応関係に基づいて、第１ターゲットポートに対応する第１ターゲット送信ビームを決定することと、
前記第１ターゲット送信ビームに対応する第１ターゲットアンテナパネルで、前記第１ターゲットポートの上り信号リソースを送信することとを含む、請求項３に記載のデータ伝送方法。
【請求項５】
前記の前記第２指示情報によって指示されるプリコーディング行列に基づいて、前記ＰＵＳＣＨに含まれるデータ層を少なくとも２つのターゲットアンテナパネルにマッピングして送信することは、
前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得ることと、
前記送信信号ベクトルのターゲットデータ層に対応する第２ターゲットポートを取得することと、
前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信することとを含む、請求項３に記載のデータ伝送方法。
【請求項６】
前記少なくとも２つのターゲットアンテナパネルでアナログビームを使用してビームトレーニング信号リソースを送信することは、
ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択することと、
前記ターゲットビームトレーニング信号リソースセットの各ビームトレーニング信号リソースを、異なるアナログビームを用いて前記第３ターゲットアンテナパネルで送信することとを含む、請求項２に記載のデータ伝送方法。
【請求項７】
ネットワーク機器に応用されるデータ伝送方法であって、
端末から送信された上り信号リソースに基づいて、アップリンクのチャネル状態情報ＣＳＩを取得することと、
前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信することとを含む、データ伝送方法。
【請求項８】
端末から送信された上り信号リソースに基づいて、アップリンクのチャネル状態情報ＣＳＩを取得することの前に、
端末から少なくとも２つのターゲットアンテナパネルでアナログビームを使用して送信したビームトレーニング信号リソースを取得することと、
前記ビームトレーニング信号リソースに対してビーム走査処理を行い、前記ターゲットアンテナパネルの各々に対応するターゲット送信ビームを決定して端末に指示することとを更に含む、請求項７に記載のデータ伝送方法。
【請求項９】
前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項７に記載のデータ伝送方法。
【請求項１０】
端末から送信された上り信号リソースに基づいて、アップリンクのチャネル状態情報ＣＳＩを取得することの前に、
前記ポートとターゲット送信ビームとの対応関係を端末に指示することを更に含む、請求項９に記載のデータ伝送方法。
【請求項１１】
前記ポートとターゲット送信ビームとの対応関係を端末に指示することは、
各前記ポートとターゲット送信ビームとの対応関係を端末に指示すること、又は、ポート群とターゲット送信ビームとの対応関係を端末に指示することを含み、
ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である、請求項１０に記載のデータ伝送方法。
【請求項１２】
端末であって、
前記端末には、アップリンク伝送用の少なくとも２つのアンテナパネルが構成され、
前記端末は、トランシーバと、メモリと、プロセッサと、メモリに格納されてプロセッサで実行可能なプログラムを含み、
ここで、前記プロセッサは、前記プログラムを実行すると、
物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器からトランシーバで受信するステップと、
前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信するステップとを実現する、端末。
【請求項１３】
前記プロセッサは、前記プログラムを実行すると、更に、
物理上り共有チャネルＰＵＳＣＨスケジューリング情報をネットワーク機器から受信する前に、前記少なくとも２つのターゲットアンテナパネルでアナログビームを使用してビームトレーニング信号リソースを送信するステップと、
ネットワーク機器によって指示される前記ターゲットアンテナパネルの各々に対応するターゲット送信ビームであって、前記ビームトレーニング信号リソースからネットワーク機器によって得られるターゲット送信ビームを取得するステップと、
各ターゲットアンテナパネルで、前記ターゲットアンテナパネルに対応するターゲット送信ビームを使用して、チャネル状態情報ＣＳＩ取得用の上り信号リソースを送信するステップとを実現し、
前記ＰＵＳＣＨスケジューリング情報は、前記上り信号リソースに基づいてネットワーク機器で得られたものである、請求項１２に記載の端末。
【請求項１４】
前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項１３に記載の端末。
【請求項１５】
前記プロセッサは、前記プログラムを実行すると、更に、
ネットワーク機器によって指示されるポートとターゲット送信ビームとの対応関係に基づいて、第１ターゲットポートに対応する第１ターゲット送信ビームを決定するステップと、
前記第１ターゲット送信ビームに対応する第１ターゲットアンテナパネルで、前記第１ターゲットポートの上り信号リソースを送信するステップとを実現する、請求項１４に記載の端末。
【請求項１６】
前記プロセッサは、前記プログラムを実行すると、更に、
前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得るステップと、
前記送信信号ベクトルのターゲットデータ層に対応する第２ターゲットポートを取得するステップと、
前記第２ターゲットポートとマッピング関係を有するアンテナパネルである第２ターゲットアンテナパネルで、前記第２ターゲットポートに対応する第２ターゲット送信ビームを使用して、前記送信信号ベクトルのターゲットデータ層を送信するステップとを実現する、請求項１４に記載の端末。
【請求項１７】
前記プロセッサは、前記プログラムを実行すると、更に、
ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択するステップと、
前記ターゲットビームトレーニング信号リソースセットの各ビームトレーニング信号リソースを、異なるアナログビームを用いて前記第３ターゲットアンテナパネルで送信するステップとを実現する、請求項１３に記載の端末。
【請求項１８】
コンピュータプログラムが格納されているコンピュータ読み取り可能な記憶媒体であって、
該コンピュータプログラムがプロセッサによって実行されると、請求項１〜６のいずれか１項に記載のデータ伝送方法のステップが実現される、コンピュータ読み取り可能な記憶媒体。
【請求項１９】
ネットワーク側機器であって、
トランシーバと、メモリと、プロセッサと、メモリに格納されてプロセッサで実行可能なコンピュータプログラムを含み、
ここで、前記プロセッサは、前記プログラムを実行すると、
端末から送信された上り信号リソースに基づいて、アップリンクのチャネル状態情報ＣＳＩを取得するステップと、
前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信するステップとを実現する、ネットワーク機器。
【請求項２０】
前記プロセッサは、前記プログラムを実行すると、更に、
端末から送信された上り信号リソースに基づいて、アップリンクのチャネル状態情報ＣＳＩを取得する前に、端末から少なくとも２つのターゲットアンテナパネルでアナログビームを使用して送信したビームトレーニング信号リソースを取得するステップと、
前記ビームトレーニング信号リソースに対してビーム走査処理を行い、前記ターゲットアンテナパネルの各々に対応するターゲット送信ビームを決定して端末に指示するステップとを実現する、請求項１９に記載のネットワーク機器。
【請求項２１】
前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項１９に記載のネットワーク機器。
【請求項２２】
前記プロセッサは、前記プログラムを実行すると、更に、
端末から送信された上り信号リソースに基づいて、アップリンクのチャネル状態情報ＣＳＩを取得する前に、前記ポートとターゲット送信ビームとの対応関係を端末に指示するステップを実現する、請求項２１に記載のネットワーク機器。
【請求項２３】
前記プロセッサは、前記プログラムを実行すると、更に、
各前記ポートとターゲット送信ビームとの対応関係を端末に指示するステップ、又は、ポート群とターゲット送信ビームとの対応関係を端末に指示するステップを実現し、
ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である、請求項２２に記載のネットワーク機器。
【請求項２４】
コンピュータプログラムが格納されているコンピュータ読み取り可能な記憶媒体であって、
前記コンピュータプログラムがプロセッサによって実行されると、請求項７〜１１のいずれか１項に記載のデータ伝送方法のステップが実現される、コンピュータ読み取り可能な記憶媒体。
【請求項２５】
アップリンク伝送用の少なくとも２つのアンテナパネルが構成された端末であって、
物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信する受信モジュールと、
前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信する第１送信モジュールとを含む、端末。
【請求項２６】
前記少なくとも２つのターゲットアンテナパネルでアナログビームを使用してビームトレーニング信号リソースを送信する第２送信モジュールと、
ネットワーク機器によって指示される前記ターゲットアンテナパネルの各々に対応するターゲット送信ビームであって、前記ビームトレーニング信号リソースからネットワーク機器によって得られるターゲット送信ビームを取得する第１取得モジュールと、
各ターゲットアンテナパネルで、前記ターゲットアンテナパネルに対応するターゲット送信ビームを使用して、チャネル状態情報ＣＳＩ取得用の上り信号リソースを送信する第３送信モジュールとを更に含み、
前記ＰＵＳＣＨスケジューリング情報は、前記上り信号リソースに基づいてネットワーク機器で得られたものである、請求項２５に記載の端末。
【請求項２７】
前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項２６に記載の端末。
【請求項２８】
ネットワーク機器であって、
端末から送信された上り信号リソースに基づいて、アップリンクのチャネル状態情報ＣＳＩを取得する第２取得モジュールと、
前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信する第４送信モジュールとを含む、ネットワーク機器。
【請求項２９】
端末から少なくとも２つのターゲットアンテナパネルでアナログビームを使用して送信したビームトレーニング信号リソースを取得する第３取得モジュールと、
前記ビームトレーニング信号リソースに対してビーム走査処理を行い、前記ターゲットアンテナパネルの各々に対応するターゲット送信ビームを決定して端末に指示する決定モジュールとを更に含む、請求項２８に記載のネットワーク機器。
【請求項３０】
前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項２８に記載のネットワーク機器。
【発明の詳細な説明】
【技術分野】
【０００１】
関連出願の相互参照
本願は、２０１８年８月１７日に中国特許庁に提出された中国特許出願２０１８１０９４２３１１．８の優先権を主張し、その全ての内容が援用によりここに取り込まれる。
本開示は、通信応用の技術分野に係り、特にデータ伝送方法、端末及びネットワーク機器に係る。
【背景技術】
【０００２】
関連技術において、複数の送信アンテナが構成されたユーザ機器又は端末ＵＥ（Ｕｓｅｒ  Ｅｑｕｉｐｍｅｎｔ）は、アップリンクビームフォーミングを実行することができる。アップリンクＵＬビームフォーミング行列を決定するために、無線リソース制御接続（ＲＲＣ＿ＣＯＮＮＥＣＴＥＤ）状態にあるＵＥは、半静的に複数のＵＥ固有のアップリンクサウンディング基準信号ＳＲＳ（Ｓｏｕｎｄｉｎｇ  Ｒｅｆｅｒｅｎｃｅ  Ｓｉｇｎａｌ）リソースが構成されている。各ＳＲＳリソース上で伝送されるＳＲＳ信号は、特定のビームフォーミング行列でビームフォーミングされる。ＵＥは、アップリンクでこれらのＳＲＳリソースを送信する。送受信ポイントＴＲＰ（ｔｒａｎｓｍｉｓｓｉｏｎ  ａｎｄ  ｒｅｃｅｐｔｉｏｎ  ｐｏｉｎｔ）は、異なるＳＲＳリソースの信号品質を測定し、好ましいＳＲＳリソースを選択する。ＴＲＰは、選択されたＳＲＳリソースのインデックス（ＳＲＳリソースインジケータＳＲＩ（ＳＲＳ  ｒｅｓｏｕｒｃｅ  ｉｎｄｉｃａｔｏｒ））を、下り制御情報ＤＣＩ（Ｄｏｗｎｌｉｎｋ  Ｃｏｎｔｒｏｌ  Ｉｎｆｏｒｍａｔｉｏｎ）を介してＵＥに送信する。ＵＥは、ＳＲＩから、ＴＲＰが将来のアップリンク伝送のためにどのアップリンクビームフォーミング行列（例えば、ＳＲＳリソース）を推奨するかを推定することができる。ＵＥは、その後、ＳＲＩによって指示されるアップリンクビームフォーミング行列を将来のアップリンク伝送に用いる。
【０００３】
ＵＥは、アップリンク伝送用の複数のアンテナパネルを有する。各アンテナパネルは、１つのアンテナ素子群からなる。アンテナパネルの確実な数、アンテナ素子の数及び各パネル内のアンテナ素子の配置は、具体的な実現方式に応じて決められ、ＵＥ毎に実現方式が異なる。ＵＥは、一度に１つのパネルから１つのデータ層を送信する。ＵＥは、同時にアンテナパネルのサブセット（１つより多いアンテナを含む）から１つのデータ層を送信してもよい。ここでの説明は、ＳＲＳリソース（ＳＲＳ信号の伝送）にも適用する。しかしながら、関連技術の規格では、物理上り共有チャネルＰＵＳＣＨ（Ｐｈｙｓｉｃａｌ  Ｕｐｌｉｎｋ  Ｓｈａｒｅｄ  Ｃｈａｎｎｅｌ）がマルチアンテナパネルｐａｎｅｌから同時に送信されるジョイント伝送方式をサポートしないため、伝送レートが低い。
【発明の概要】
【発明が解決しようとする課題】
【０００４】
本開示の目的は、関連技術の規格ではマルチアンテナパネルからのＰＵＳＣＨの同時送信をサポートできないという問題を解決するために、データ伝送方法、端末及びネットワーク機器を提供することにある。
【課題を解決するための手段】
【０００５】
上記目的を実現するために、本開示は、アップリンク伝送用の少なくとも２つのアンテナパネルが構成された端末に応用されるデータ伝送方法を提供し、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信することと、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信することとを含む。
【０００６】
ここで、前記のＰＵＳＣＨスケジューリング情報をネットワーク機器から受信することの前に、前記少なくとも２つのターゲットアンテナパネルでアナログビームを使用してビームトレーニング信号リソースを送信することと、ネットワーク機器によって指示される前記ターゲットアンテナパネルの各々に対応するターゲット送信ビームであって、前記ビームトレーニング信号リソースからネットワーク機器によって得られるターゲット送信ビームを取得することと、各ターゲットアンテナパネルで、前記ターゲットアンテナパネルに対応するターゲット送信ビームを使用して、チャネル状態情報ＣＳＩ取得用の上り信号リソースを送信することとを更に含み、前記ＰＵＳＣＨスケジューリング情報は、前記上り信号リソースに基づいてネットワーク機器で得られたものである。
【０００７】
ここで、前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【０００８】
ここで、前記の各ターゲットアンテナパネルで、前記ターゲットアンテナパネルに対応するターゲット送信ビームを使用して、チャネル状態情報ＣＳＩ取得用の上り信号リソースを送信することは、ネットワーク機器によって指示されるポートとターゲット送信ビームとの対応関係に基づいて、第１ターゲットポートに対応する第１ターゲット送信ビームを決定することと、前記第１ターゲット送信ビームに対応する第１ターゲットアンテナパネルで、前記第１ターゲットポートの上り信号リソースを送信することとを含む。
【０００９】
ここで、前記第２指示情報によって指示されるプリコーディング行列に基づいて、前記ＰＵＳＣＨに含まれるデータ層を少なくとも２つのターゲットアンテナパネルにマッピングして送信することは、前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得ることと、前記送信信号ベクトルのターゲットデータ層に対応する第２ターゲットポートを取得することと、前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信することとを含む。
【００１０】
ここで、前記少なくとも２つのターゲットアンテナパネルでアナログビームを使用してビームトレーニング信号リソースを送信することは、ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択することと、前記ターゲットビームトレーニング信号リソースセットの各ビームトレーニング信号リソースを、異なるアナログビームを用いて前記第３ターゲットアンテナパネルで送信することとを含む。
【００１１】
上記目的を実現するために、本開示の実施例は、ネットワーク機器に応用されるデータ伝送方法を更に提供し、端末から送信された上り信号リソースに基づいて、アップリンクのチャネル状態情報ＣＳＩを取得することと、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信することとを含む。
【００１２】
ここで、端末から送信された上り信号リソースに基づいて、アップリンクのチャネル状態情報ＣＳＩを取得することの前に、端末から少なくとも２つのターゲットアンテナパネルでアナログビームを使用して送信したビームトレーニング信号リソースを取得することと、前記ビームトレーニング信号リソースに対してビーム走査処理を行い、前記ターゲットアンテナパネルの各々に対応するターゲット送信ビームを決定して端末に指示することとを更に含む。
【００１３】
ここで、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００１４】
ここで、端末から送信された上り信号リソースに基づいて、アップリンクのチャネル状態情報ＣＳＩを取得することの前に、前記ポートとターゲット送信ビームとの対応関係を端末に指示することを更に含む。
【００１５】
ここで、前記ポートとターゲット送信ビームとの対応関係を端末に指示することは、各前記ポートとターゲット送信ビームとの対応関係を端末に指示すること、又は、ポート群とターゲット送信ビームとの対応関係を端末に指示することを含み、ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【００１６】
上記目的を実現するために、本開示の実施例は、端末を更に提供する。前記端末には、アップリンク伝送用の少なくとも２つのアンテナパネルが構成される。前記端末は、トランシーバと、メモリと、プロセッサと、メモリに格納されてプロセッサで実行可能なプログラムを含む。ここで、前記プロセッサは、前記プログラムを実行すると、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器からトランシーバで受信するステップと、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信するステップとを実現する。
【００１７】
ここで、前記プロセッサは、前記プログラムを実行すると、更に、物理上り共有チャネルＰＵＳＣＨスケジューリング情報をネットワーク機器から受信する前に、前記少なくとも２つのターゲットアンテナパネルでアナログビームを使用してビームトレーニング信号リソースを送信するステップと、ネットワーク機器によって指示される前記ターゲットアンテナパネルの各々に対応するターゲット送信ビームであって、前記ビームトレーニング信号リソースからネットワーク機器によって得られるターゲット送信ビームを取得するステップと、各ターゲットアンテナパネルで、前記ターゲットアンテナパネルに対応するターゲット送信ビームを使用して、チャネル状態情報ＣＳＩ取得用の上り信号リソースを送信するステップとを実現する。前記ＰＵＳＣＨスケジューリング情報は、前記上り信号リソースに基づいてネットワーク機器で得られたものである。
【００１８】
ここで、前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００１９】
ここで、前記プロセッサは、前記プログラムを実行すると、更に、ネットワーク機器によって指示されるポートとターゲット送信ビームとの対応関係に基づいて、第１ターゲットポートに対応する第１ターゲット送信ビームを決定するステップと、前記第１ターゲット送信ビームに対応する第１ターゲットアンテナパネルで、前記第１ターゲットポートの上り信号リソースを送信するステップとを実現する。
【００２０】
ここで、前記プロセッサは、前記プログラムを実行すると、更に、前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得るステップと、前記送信信号ベクトルのターゲットデータ層に対応する第２ターゲットポートを取得するステップと、前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信するステップとを実現する。
【００２１】
ここで、前記プロセッサは、前記プログラムを実行すると、更に、ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択するステップと、前記ターゲットビームトレーニング信号リソースセットの各ビームトレーニング信号リソースを、異なるアナログビームを用いて前記第３ターゲットアンテナパネルで送信するステップとを実現する。
【００２２】
上記目的を実現するために、本開示の実施例は、コンピュータプログラムが格納されているコンピュータ読み取り可能な記憶媒体を更に提供し、該コンピュータプログラムがプロセッサによって実行されると、上記データ伝送方法のステップが実現される。
【００２３】
上記目的を実現するために、本開示の実施例は、ネットワーク側機器を更に提供し、トランシーバと、メモリと、プロセッサと、メモリに格納されてプロセッサで実行可能なコンピュータプログラムを含む。ここで、前記プロセッサは、前記プログラムを実行すると、端末から送信された上り信号リソースに基づいて、アップリンクのチャネル状態情報ＣＳＩを取得するステップと、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信するステップとを実現する。
【００２４】
ここで、前記プロセッサは、前記プログラムを実行すると、更に、端末から送信された上り信号リソースに基づいて、アップリンクのチャネル状態情報ＣＳＩを取得する前に、端末から少なくとも２つのターゲットアンテナパネルでアナログビームを使用して送信したビームトレーニング信号リソースを取得するステップと、前記ビームトレーニング信号リソースに対してビーム走査処理を行い、前記ターゲットアンテナパネルの各々に対応するターゲット送信ビームを決定して端末に指示するステップとを実現する。
【００２５】
ここで、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００２６】
ここで、前記プロセッサは、前記プログラムを実行すると、更に、端末から送信された上り信号リソースに基づいて、アップリンクのチャネル状態情報ＣＳＩを取得する前に、前記ポートとターゲット送信ビームとの対応関係を端末に指示するステップを実現する。
【００２７】
ここで、前記プロセッサは、前記プログラムを実行すると、更に、各前記ポートとターゲット送信ビームとの対応関係を端末に指示するステップ、又は、ポート群とターゲット送信ビームとの対応関係を端末に指示するステップを実現し、ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【００２８】
上記目的を実現するために、本開示の実施例は、コンピュータプログラムが格納されているコンピュータ読み取り可能な記憶媒体を更に提供し、前記コンピュータプログラムがプロセッサによって実行されると、上記データ伝送方法のステップが実現される。
【００２９】
上記目的を実現するために、本開示の実施例は、アップリンク伝送用の少なくとも２つのアンテナパネルが構成された端末を更に提供し、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信する受信モジュールと、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信する第１送信モジュールとを含む。
【００３０】
本開示の実施例の端末は、前記少なくとも２つのターゲットアンテナパネルでアナログビームを使用してビームトレーニング信号リソースを送信する第２送信モジュールと、ネットワーク機器によって指示される前記ターゲットアンテナパネルの各々に対応するターゲット送信ビームであって、前記ビームトレーニング信号リソースからネットワーク機器によって得られるターゲット送信ビームを取得する第１取得モジュールと、各ターゲットアンテナパネルで、前記ターゲットアンテナパネルに対応するターゲット送信ビームを使用して、チャネル状態情報ＣＳＩ取得用の上り信号リソースを送信する第３送信モジュールとを更に含み、前記ＰＵＳＣＨスケジューリング情報は、前記上り信号リソースに基づいてネットワーク機器で得られたものである。
【００３１】
ここで、前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００３２】
上記目的を実現するために、本開示の実施例は、ネットワーク機器を更に提供し、端末から送信された上り信号リソースに基づいて、アップリンクのチャネル状態情報ＣＳＩを取得する第２取得モジュールと、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信する第４送信モジュールとを含む。
【００３３】
本開示の実施例のネットワーク機器は、端末から少なくとも２つのターゲットアンテナパネルでアナログビームを使用して送信したビームトレーニング信号リソースを取得する第３取得モジュールと、前記ビームトレーニング信号リソースに対してビーム走査処理を行い、前記ターゲットアンテナパネルの各々に対応するターゲット送信ビームを決定して端末に指示する決定モジュールとを更に含む。
【００３４】
ここで、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【発明の効果】
【００３５】
本開示の実施例の上記技術手段において、第１指示情報と第２指示情報とを含む物理上り共有チャネルＰＵＳＣＨスケジューリング情報をネットワーク機器から受信し、前記第２指示情報によって指示されるプリコーディング行列に基づいて、前記ＰＵＳＣＨに含まれるデータ層を少なくとも２つのターゲットアンテナパネルにマッピングして送信することによって、ＰＵＳＣＨのデータ層を複数のアンテナパネルから同時に伝送するという目的を実現する。
【図面の簡単な説明】
【００３６】
【図１】図１は、関連技術のアナログビームフォーミングで中間周波数信号に対して重み付けてフォーミングする模式図である。
【図２】図２は、関連技術のアナログビームフォーミングで無線周波数信号に対して重み付けてフォーミングする模式図である。
【図３】図３は、関連技術のデジタルアナログ複合ビームフォーミングの模式図である。
【図４】図４は、本開示の実施例に係るデータ伝送方法のフローチャートその１である。
【図５】図５は、本開示の実施例に係るＰＵＳＣＨの伝送模式図である。
【図６】図６は、本開示の実施例に係るデータ伝送方法のフローチャートその２である。
【図７】図７は、本開示の実施例に係る端末の構造を示すブロック図である。
【図８】図８は、本開示の実施例に係る端末のモジュールを示す図である。
【図９】図９は、本開示の実施例に係るネットワーク機器の構造を示すブロック図である。
【図１０】図１０は、本開示の実施例に係るネットワーク機器のモジュールを示す図である。
【発明を実施するための形態】
【００３７】
本開示の解決しようとする技術課題、技術手段及び利点を明確にするために、以下、具体的な実施例及び図面を参照しながら詳細に記載する。
【００３８】
本開示の実施例の技術手段を当業者によりよく理解してもらうために、まず以下の説明をする。
【００３９】
ピークレート及びシステムのスペクトル利用率の向上への多入力多出力ＭＩＭＯ（Ｍｕｌｔｉｐｌｅ−Ｉｎｐｕｔ  Ｍｕｌｔｉｐｌｅ−Ｏｕｔｐｕｔ）技術の重要な役割を鑑みると、ロングタームエボリューションＬＴＥ（Ｌｏｎｇ  Ｔｅｒｍ  Ｅｖｏｌｕｔｉｏｎ）又はＬＴＥ−Ａ（ＬＴＥ−Ａｄｖａｎｃｅｄ）などの無線アクセス技術規格は、ＭＩＭＯ＋直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術をベースに構築されている。ＭＩＭＯ技術の性能利得は、マルチアンテナシステムによって得られる空間自由度に由来するため、ＭＩＭＯ技術の標準化の進展における最も重要な進化方向は、次元の拡張である。
【００４０】
ＬＴＥ  Ｒｅｌ−８では、最大で４レイヤのＭＩＭＯ伝送がサポートされる。Ｒｅｌ−９は、マルチユーザ多入力多出力ＭＵ−ＭＩＭＯ（Ｍｕｌｔｉ−Ｕｓｅｒ  ＭＩＭＯ）技術の強化に重点を置き、伝送モードＴＭ（Ｔｒａｎｓｍｉｓｓｉｏｎ  Ｍｏｄｅ）−８におけるＭＵ−ＭＩＭＯ伝送では、最大４つの下りデータ層をサポートする。Ｒｅｌ−１０は、８アンテナポートをサポートすることを導入してチャネル状態情報の空間分解能を更に向上させ、シングルユーザ多入力多出力ＳＵ−ＭＩＭＯ（Ｓｉｎｇｌｅ−Ｕｓｅｒ  ＭＩＭＯ）の伝送能力を最大８個のデータ層に更に拡張する。Ｒｅｌ−１３及びＲｅｌ−１４は、ＦＤ−ＭＩＭＯ技術を導入して３２ポートまでサポートし、全次元及び垂直方向のビームフォーミングを実現する。
【００４１】
ＭＩＭＯ技術を更に向上させるために、移動通信システムには、大規模なアンテナ技術が導入されている。基地局において、フルデジタル化された大規模なアンテナは、１２８／２５６／５１２個までのアンテナ素子及び１２８／２５６／５１２個までのトランシーバとを有し、各アンテナ素子が１つのトランシーバに接続される。１２８／２５６／５１２個までのアンテナポートのパイロット信号を送信することで、端末は、チャネル状態情報を測定してフィードバックする。端末において、３２／６４個のアンテナ素子までのアンテナアレイを構成することも可能である。基地局と端末の両側のビームフォーミングにより、巨大なビームフォーミング利得が得られることで、パスロスによる信号減衰を補う。特に、３０ＧＨｚなどの高周波数帯の通信では、パスロスにより無線信号のカバレッジが極めて制限される。大規模なアンテナ技術により、無線信号のカバレッジを実用可能な範囲まで広げることができる。
【００４２】
フルデジタルアンテナアレイは、アンテナ素子毎に独立したトランシーバを有しているため、装置のサイズ、コスト及び消費電力が大幅に増大してしまう。特に、トランシーバのアナログデジタル変換器ＡＤＣ（Ａｎａｌｏｇ−ｔｏ−Ｄｉｇｉｔａｌ  Ｃｏｎｖｅｒｔｅｒ）やデジタルアナログ変換器ＤＡＣ（Ｄｉｇｉｔａｌ−ｔｏ−Ａｎａｌｏｇ  Ｃｏｎｖｅｒｔｅｒ）は、消費電力の低下及び性能の向上に限界があった。装置のサイズ、コスト及び消費電力を低下させるために、図１及び図２に示すように、アナログビームフォーミングによる技術が提案されている。アナログビームフォーミングの主な特徴は、中間周波数（図１）又は無線周波数信号（図２）を移相器で重み付けてフォーミングすることである。
【００４３】
アナログビームフォーミング性能を更に向上させるために、図３に示すようなデジタルアナログ複合ビームフォーミング送受信方式が提案されている。図３において、送信側及び受信側にそれぞれ
【数１】
2021533701.tif 000003
、
【数２】
2021533701.tif 000004
個のトランシーバを有し、送信側のアンテナ素子数
【数３】
2021533701.tif 000005
、受信側のアンテナ素子数
【数４】
2021533701.tif 000006
であり、ビームフォーミングによってサポートされる最大の並列伝送ストリームの数は、
【数５】
2021533701.tif 000007
である。図３の複合ビームフォーミング構造は、デジタルビームフォーミングの柔軟性とアナログビームフォーミングの低い複雑性との間のバランスを取る。
【００４４】
アナログビームフォーミングと、デジタルアナログ複合ビームフォーミングの両方は、送受信両側のアナログビームフォーミングのウェイトを調整する必要があり、それによって、形成されたビームを通信相手に向ける。下り伝送では、基地局側から送信されるビームフォーミングウェイトと端末側で受信されるビームフォーミングウェイトを調整する必要があり、上り伝送では、端末側から送信されるビームフォーミングウェイトと基地局側で受信されるビームフォーミングウェイトを調整する必要がある。ビームフォーミングのウェイトは、通常、トレーニング信号を送信することによって得られる。下り方向では、基地局が下りビームトレーニング信号を送信し、端末が下りビームトレーニング信号を測定して最適な基地局送信ビームを選択し、ビームに関する情報を基地局にフィードバックするとともに、対応する最適な受信ビームを選択してローカルに保存する。
【００４５】
ＵＥは、アップリンク伝送用の複数のアンテナパネルを有する。以下、単一アンテナパネル伝送及びマルチアンテナパネル伝送についてそれぞれ説明する。
【００４６】
（１）単一アンテナパネルｐａｎｅｌ伝送
１つの単一ｐａｎｅｌ  ＵＥには、送信ビーム走査のために１つのＳＲＳリソースセットが構成される。各ＳＲＳリソースセットは、複数のＳＲＳリソースを含み、異なるＳＲＳリソースは、異なるビームを使用してビームフォーミングされる。各ｐａｎｅｌで同時に１つのアナログビームしか形成できないので、１つのＳＲＳリソースセット内の異なるＳＲＳリソース（異なるビームに対応する）は、異なる時点に送信される。ｇＮＢは、ＳＲＳリソースセットの受信によって、最適な送信ビーム（即ち受信品質が最良のＳＲＳリソース）を決定してＵＥに指示する。
その後、ｇＮＢは、ＣＳＩ取得のために第２ＳＲＳリソースセットを構成し、該ＳＲＳリソースセットは、複数のＳＲＳリソースを含み、（それまでのビーム走査に基づいて）同じ又は異なるアナログビームを使用する。ｇＮＢは、チャネル推定状況に応じて、第２ＳＲＳリソースセット（ＣＳＩ取得用のＳＲＳリソースセット）を指示するＳＲＩ指示をＰＵＳＣＨのスケジューリンググラントで送信する。ＵＥは、ＳＲＩによって指示されるビームに基づいてＰＵＳＣＨ伝送を行う。
【００４７】
（２）マルチアンテナパネルｐａｎｅｌ伝送
同様に、ＵＥが複数のｐａｎｅｌを有する場合、アナログビームトレーニングのために複数のＳＲＳリソースセットが構成され、各ＳＲＳセットが１つのｐａｎｅｌに対応する。同じＳＲＳリソースセット（１つのｐａｎｅｌに対応する）の異なるＳＲＳリソースは、異なる時点で送信される。異なるＳＲＳリソースセットは、異なるｐａｎｅｌにマッピングされるので、異なるＳＲＳリソースセットのＳＲＳリソースは、同一又は異なる時点で送信される。この場合、ＳＲＳのオーバーヘッドは、アンテナｐａｎｅｌの数に応じて線形に変化する。大量のアンテナｐａｎｅｌが構成された端末（電力やサイズの制約が少ない車両、気球及び他の航空機など）は、ＳＲＳオーバーヘッドが非常に大きくなる。
【００４８】
しかし、関連技術の規格では、マルチアンテナパネルｐａｎｅｌからＰＵＳＣＨが同時に送信されるジョイント伝送方式をサポートできず、伝送レートが低い。これに基づいて、本開示の実施例は、アップリンク伝送用の少なくとも２つのアンテナパネルが構成された端末に応用されるデータ伝送方法を提供する。図４に示すように、該データ伝送方法は、以下のステップを含む。
【００４９】
ステップ４０１において、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信する。
【００５０】
該ＰＵＳＣＨスケジューリング情報は、ＰＵＳＣＨスケジューリンググラントに搬送され、上記第１指示情報は、送信ランクインデックスＴＲＩ（ｔｒａｎｓｍｉｓｓｉｏｎ  ｒａｎｋ  ｉｎｄｉｃａｔｏｒ）であり、第２指示情報は、送信プリコーディング行列インデックスＴＰＭＩ（ｔｒａｎｓｍｉｔ  ｐｒｅｃｏｄｉｎｇ  ｍａｔｒｉｘ  ｉｎｄｉｃａｔｏｒ）であり、上記プリコーディング行列は、Ｋ×Ｌのプリコーディング行列である。ここで、Ｋは、ＰＵＳＣＨ伝送用の少なくとも２つのターゲットアンテナパネルのデジタルチャネル数の和であり、Ｌは、ＰＵＳＣＨに含まれるデータ層の個数である。
【００５１】
ステップ４０２において、前記第２指示情報によって指示されるプリコーディング行列に基づいて、前記ＰＵＳＣＨに含まれる全てのデータ層を、前記端末の少なくとも２つのアンテナパネルのうち、ＰＵＳＣＨ伝送用のアンテナパネルである少なくとも２つのターゲットアンテナパネルにマッピングして送信する。
【００５２】
具体的には、端末は、上記プリコーディング行列に基づいてデジタルプリコーディング処理を行い、Ｋ個のデータ層を含む送信信号ベクトルを得、該送信信号ベクトルを少なくとも２つのターゲットアンテナパネルにマッピングして送信する。
【００５３】
本開示の実施例に係るデータ伝送方法において、第１指示情報と第２指示情報とを含む物理上り共有チャネルＰＵＳＣＨスケジューリング情報をネットワーク機器から受信し、前記第２指示情報によって指示されるプリコーディング行列に基づいて、前記ＰＵＳＣＨに含まれるデータ層を少なくとも２つのターゲットアンテナパネルにマッピングして送信することによって、ＰＵＳＣＨのデータ層を複数のアンテナパネルから同時に伝送するという目的を実現する。
【００５４】
更に、上記ステップ４０２で物理上り共有チャネルＰＵＳＣＨスケジューリング情報をネットワーク機器から受信する前に、前記方法は、更に以下のステップを含む。
【００５５】
ステップ４０２１において、前記少なくとも２つのターゲットアンテナパネルでアナログビームを使用してビームトレーニング信号リソースを送信する。
【００５６】
ここでのビームトレーニング信号リソースは、具体的にサウンディング基準信号ＳＲＳリソースである。
【００５７】
ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択する。前記ターゲットビームトレーニング信号リソースセットの各ビームトレーニング信号リソースを、異なるアナログビームを用いて前記第３ターゲットアンテナパネルで送信する。前記ビームトレーニング信号リソースには、ビームトレーニング信号が搬送されている。
【００５８】
ＰＵＳＣＨの複数のデータ層が２つのターゲットアンテナパネルに分散されて送信されると仮定すると、基地局ｇＮＢは、まず、アナログビームトレーニングのために２つのＳＲＳリソースセットを構成し、ここで各ＳＲＳリソースセットは、１つのアンテナパネルｐａｎｅｌにマッピングされる。ｐａｎｅｌへのＳＲＳリソースセットの具体的なマッピング方式は、ＵＥの実現に依存する。例えば、ＵＥは、アナログビームトレーニングのための第１ＳＲＳリソースセットをｐａｎｅｌ１にマッピングし、アナログビームトレーニングのための第２ＳＲＳリソースセットをｐａｎｅｌ２にマッピングし、又は、アナログビームトレーニングのための第１ＳＲＳリソースセットをｐａｎｅｌ２にマッピングし、アナログビームトレーニングのための第２ＳＲＳリソースセットをｐａｎｅｌ１にマッピングする。このマッピング順は、ｇＮＢに対して透明である。各ＳＲＳリソースセットは、異なる時間周波数リソースを使用することができる１グループのＳＲＳリソースを含む。各ＳＲＳリソースセットについて、ＵＥは、それに対応するｐａｎｅｌ上で、それぞれ異なるアナログビームを用いて各ＳＲＳリソースを送信する。
【００５９】
ステップ４０２２において、ネットワーク機器によって指示される前記ターゲットアンテナパネルの各々に対応するターゲット送信ビームを取得する。前記ターゲット送信ビームは、前記ビームトレーニング信号からネットワーク機器によって得られる。
【００６０】
ｇＮＢは、ビーム走査によって最適な受信ビームを決定する。ｇＮＢは、単一ｐａｎｅｌ伝送の仮定に基づいて、ｐａｎｅｌ毎に最適な受信ビームを選択する。又は、全ｐａｎｅｌがジョイント伝送すると仮定して、最適な受信ビームを得る。このプロセスでは、ｇＮＢは、２つのＳＲＳリソースセットの時間周波数リソース構成（例えば、直交時間周波数リソース、又は同じリソース）で制御する。同時に、ｇＮＢは、ｐａｎｅｌ毎に、各々のＳＲＳリソースセットの中の最適なＳＲＳリソース（［ＳＲＳｏｐｔ，１，ＳＲＳｏｐｔ，２］と表記する）にそれぞれ対応する最適な送信ビーム（［ＢＭｏｐｔ，１，ＢＭｏｐｔ，２］と表記する）を取得する。ＵＥは、制御シグナリングによって、［ＳＲＳｏｐｔ，１，ＳＲＳｏｐｔ，２］を知ることができ、ｐａｎｅｌ毎に推奨するＳＲＳリソースを取得し、アンテナパネル毎に推奨するＳＲＳリソースに基づいて、アンテナパネル毎に最適な送信ビーム（［ＢＭｏｐｔ，１，ＢＭｏｐｔ，２］）を決定する。
【００６１】
なお、上記の記載は、ｇＮＢがｐａｎｅｌ毎に複数の上り送信ビームを推奨することを排除するものではない。具体的には、ｇＮＢは、ｐａｎｅｌ毎に最適なビームを推奨するだけでなく、ｐａｎｅｌ毎に最適なビームの後に並ぶ他のビームを推奨することもできる。これは、上記技術手段から直接的に拡張され得る。上記最適な送信ビーム（ターゲット送信ビーム）は、具体的には最良な受信品質のＳＲＳリソースに対応する送信ビームであり、例えば最も受信信号電力が強いＳＲＳリソースに対応する送信ビームである。
【００６２】
ステップ４０２３において、各ターゲットアンテナパネルで、前記ターゲットアンテナパネルに対応するターゲット送信ビームを使用して、チャネル状態情報ＣＳＩ取得用の上り信号リソースを送信する。前記ＰＵＳＣＨスケジューリング情報は、ネットワーク機器が前記上り信号リソースに基づいて得られるものである。
【００６３】
ここで、チャネル状態情報ＣＳＩ取得用の上り信号リソースは、ＳＲＳリソースである。
【００６４】
端末から該上り信号リソースを送信することにより、ネットワーク機器は、アップリンクのＣＳＩを推定し、リンク適応及びＰＵＳＣＨスケジューリングを行うことができる。
【００６５】
更に、上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００６６】
ネットワーク機器は、ビーム走査によってアンテナパネル毎の最適な送信ビームを決定した後、更に端末に対してＣＳＩ取得用のＳＲＳリソースを構成する。図５に示すように、ＰＵＳＣＨの複数のデータ層が２つのターゲットアンテナパネルに分散されて送信されると仮定し、ここで、ＰＵＳＣＨの１〜Ａ層がアンテナパネル１にマッピングされて送信され、Ａ＋１〜Ｌ層がアンテナパネル２にマッピングされて送信され、Ａは、１より大きくＬより小さい正の整数である。基地局ｇＮＢは、ＣＳＩ取得用に２つのＳＲＳリソースセットを構成し、ここで、各ＳＲＳリソースセットは、１つのアンテナパネルｐａｎｅｌにマッピングされる。例えば、ＣＳＩ取得用の第３ＳＲＳリソースセットは、アンテナパネル１にマッピングされ、ＣＳＩ取得用の第４ＳＲＳリソースセットは、アンテナパネル２にマッピングされる。
【００６７】
ここで、２つのアンテナパネルのデジタルチャネル数をそれぞれＮ１、Ｎ２とすると、トータルのデジタルチャネル数は、Ｋ＝Ｎ１＋Ｎ２である。ｇＮＢは、Ｋ個のポートを含むＳＲＳリソースを構成する。時間領域で、該ＳＲＳリソースは、周期的、半周期的又は非周期的に送信されるように構成される。
【００６８】
これに基づいて、前記の各ターゲットアンテナパネルで、前記ターゲットアンテナパネルに対応するターゲット送信ビームを使用して、チャネル状態情報ＣＳＩ取得用の上り信号リソースを送信することは、ネットワーク機器によって指示されるポートとターゲット送信ビームとの対応関係に基づいて、第１ターゲットポートに対応する第１ターゲット送信ビームを決定することと、前記第１ターゲット送信ビームに対応する第１ターゲットアンテナパネルで、前記第１ターゲットポートの上り信号リソースを送信することとを含む。
【００６９】
各Ｐａｎｅｌで送信されるＣＳＩ測定用のＳＲＳリソースに使用されるビームは、［ＳＲＳｏｐｔ，１，ＳＲＳｏｐｔ，２］によって取得される。ここで、アンテナパネル１とアンテナパネル２のＳＲＳポート番号をそれぞれ［ｐ１，ｐ２，…ｐＮ１］、［ｑ１，ｑ２，…ｑＮ２  ］と表記する。ここで、ポート［ｐ１，ｐ２，…ｐＮ１］は、アンテナパネル１にマッピングされ、そのアナログビームとしてＢＭｏｐｔ，１が用いられる。従って、ｇＮＢは、［ｐ１，ｐ２，…ｐＮ１］においてＳＲＳｏｐｔ，１と同じアナログビームを使用するようにＵＥに指示する。同様に、アンテナポート［ｑ１，ｑ２，…ｑＮ２］は、ｐａｎｅｌ２にマッピングされ、そのアナログビームとしてＢＭｏｐｔ，２が使用される。従って、ｇＮＢは、［ｑ１，ｑ２，…ｑＮ２］においてＳＲＳｏｐｔ，２と同じアナログビームを使用するようにＵＥに指示する。
【００７０】
本開示の実施例において、ポートとターゲット送信ビームとの対応関係は、以下の２つの方式によって端末に指示される。
【００７１】
方式１：ポート固有指示方式
各前記ポートとターゲット送信ビームとの対応関係を端末に指示する。
ここで、各ポートは、同じ又は異なる上り送信ビームを用いることができる。
【００７２】
方式２：ポート群固有指示方式
ポート群とターゲット送信ビームとの対応関係を端末に指示する。ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【００７３】
本開示の実施例において、上記のいずれの指示方式を採用しても、上記対応関係は、上位層の情報フィールドに対して空間関係情報（ＳｐａｔｉａｌＲｅｌａｔｉｏｎＩｎｆｏ）の構成を行うことによって指示される。もちろん、空間関係情報の他に、他の情報を用いて構成して指示してもよい。例えば、上記方式２では、ＵＥに複数の「ＳｐａｔｉａｌＲｅｌａｔｉｏｎＩｎｆｏ」値を与え、各値に対応するポート群をＵＥに通知する。
【００７４】
ポート群内のポート番号が常に連続している場合、ポート群固有の送信ビーム指示方式を用いた方が適している。例えば、［ｐ１，ｐ２，…，ｐＮ１］＝［１，２，…，Ｎ１］且つ［ｑ１，ｑ２，…，ｑＮ２］＝［Ｎ１＋１，…，Ｎ１＋Ｎ２］のとき、ｇＮＢは、２つの「ＳｐａｔｉａｌＲｅｌａｔｉｏｎＩｎｆｏ」パラメータを構成することができる。そのうちの最初の「ＳｐａｔｉａｌＲｅｌａｔｉｏｎＩｎｆｏ」は、ＳＲＳｏｐｔ，１、即ちポート［１，２，…，Ｎ１］に対応し、２つ目の「ＳｐａｔｉａｌＲｅｌａｔｉｏｎＩｎｆｏ」は、ＳＲＳｏｐｔ，２、即ちポート［Ｎ１＋１，…，Ｎ１＋Ｎ２］に対応する。これにより、より低いＲＲＣオーバーヘッドを占有する。特にポートのグループ分けが半静的に構成される場合である。
【００７５】
ポート群のポート番号が不連続である場合、上記のいずれの方式を採用してもよい。
【００７６】
また、ＳＲＳリソースのＳＲＳポートのグループ分けは、半静的又は動的であってよい。半静的方式を採用する場合、ＳＲＳリソースは、そのポート群の数及びグループ毎のポート番号が半静的に構成される。動的方式を採用する場合、そのポート群の数及びグループ毎のポート番号がＬ１動的シグナリングによって通知される（例えばＳＲＳトリガー許可と共に通知される）。グループ分けに動的方式を採用する場合、グループ分け情報（即ち、グループの数及びグループ毎のポート番号）は、上り伝送ビーム情報（ＳｐａｔｉａｌＲｅｌａｔｉｏｎＩｎｆｏ）とともに又は独立して指示されてよい。
【００７７】
ＳＲＳポート群の数が半静的に構成される場合、グループ毎のＳＲＳポートの番号は、動的に指示されてよい。
【００７８】
更に、上記ステップ４０２で前記第２指示情報によって指示されるプリコーディング行列に基づいて、前記ＰＵＳＣＨに含まれるデータ層を少なくとも２つのターゲットアンテナパネルにマッピングして送信することは、前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得ることと、前記送信信号ベクトルのターゲットデータ層に対応する第２ターゲットポートを取得することと、前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信することとを含む。
【００７９】
上記ターゲットデータ層は、ＰＵＳＣＨのＬ個のデータ層のうちのいずれかのデータ層である。
【００８０】
ここで、基地局は、ＣＳＩ取得用の上り信号リソースを受信した後、上りリンクのＣＳＩを推定し、リンク適応及びＰＵＳＣＨスケジューリングを行う。スケジューリンググラントには、ＰＵＳＣＨに含まれるデータ層の数Ｌを指示するＴＲＩ（ｔｒａｎｓｍｉｓｓｉｏｎ  ｒａｎｋ  ｉｎｄｉｃａｔｏｒ）と、（Ｎ１＋Ｎ２）×Ｌのプリコーディング行列Ｗを指示するＴＰＭＩ（ｔｒａｎｓｍｉｔ  ｐｒｅｃｏｄｉｎｇ  ｍａｔｒｉｘ  ｉｎｄｉｃａｔｏｒ）とが含まれる。ＵＥは、上記情報に基づいてデジタルプリコーディングを行い、長さ（Ｎ１＋Ｎ２）の送信信号ベクトルを形成する。ポート［ｐ１，ｐ２，…ｐＮ１］に対応するＮ１個のデータ層は、ＳＲＳｏｐｔ，１によって与えられる「ＳｐａｔｉａｌＲｅｌａｔｉｏｎＩｎｆｏ」パラメータに対応するビームを用いてｐａｎｅｌ１によって送信される。ポート［ｑ１，ｑ２，…ｑＮ２］に対応するＮ２個のデータ層は、ＳＲＳｏｐｔ，２によって与えられる「ＳｐａｔｉａｌＲｅｌａｔｉｏｎＩｎｆｏ」パラメータに対応するビームを用いてｐａｎｅｌ２によって送信される。要するに、ＰＵＳＣＨのうちＳＲＳポートＳに対応するデータ層については、同一のアンテナパネルでＳＲＳポートｓに対応する上り送信ビームを用いて伝送し、Ｓは、１より大きい正の整数であり、且つＳ＝Ｎ１＋Ｎ２である。
【００８１】
本開示の実施例に係るデータ伝送方法において、第１指示情報と第２指示情報とを含む物理上り共有チャネルＰＵＳＣＨスケジューリング情報をネットワーク機器から受信し、前記第２指示情報によって指示されるプリコーディング行列に基づいて、前記ＰＵＳＣＨに含まれるデータ層を少なくとも２つのターゲットアンテナパネルにマッピングして送信することによって、ＰＵＳＣＨのデータ層を複数のアンテナパネルから同時に伝送するという目的を実現する。
【００８２】
図６に示すように、本開示の実施例は、ネットワーク機器に応用されるデータ伝送方法を更に提供し、該ネットワーク機器は、具体的には基地局である。該データ伝送方法は、ステップ６０１とステップ６０２を含む。
【００８３】
ステップ６０１において、端末から送信された上り信号リソースに基づいて、アップリンクのチャネル状態情報ＣＳＩを取得する。
【００８４】
この上り信号リソースは、具体的には、基地局が端末に対して構成したＣＳＩ取得用のＳＲＳリソースである。
【００８５】
ネットワーク機器は、まず、端末から送信されたビームトレーニング信号リソースに基づいてアンテナパネル毎の最適な送信ビームを決定し、その後、端末に対してＣＳＩ取得用のＳＲＳリソースを構成する。図５に示すように、ＰＵＳＣＨの複数のデータ層が２つのターゲットアンテナパネルに分散されて送信されると仮定し、ここで、ＰＵＳＣＨの１〜Ａ層がアンテナパネル１にマッピングされて送信され、Ａ＋１〜Ｌ層がアンテナパネル２にマッピングされて送信され、Ａは、１より大きくＬより小さい正の整数である。基地局ｇＮＢは、ＣＳＩ取得用に２つのＳＲＳリソースセットを構成し、ここで、各ＳＲＳリソースセットは、１つのアンテナパネルｐａｎｅｌにマッピングされる。例えば、ＣＳＩ取得用の第３ＳＲＳリソースセットは、アンテナパネル１にマッピングされ、ＣＳＩ取得用の第４ＳＲＳリソースセットは、アンテナパネル２にマッピングされる。
【００８６】
ステップ６０２において、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信する。
【００８７】
ここで、該ＰＵＳＣＨスケジューリング情報は、ＰＵＳＣＨスケジューリンググラントに搬送される。基地局は、ＣＳＩ取得用の上り信号リソースを受信した後、上りリンクのＣＳＩを推定し、リンク適応及びＰＵＳＣＨスケジューリングを行う。スケジューリンググラントには、ＰＵＳＣＨに含まれるデータ層の数Ｌを指示するＴＲＩ（ｔｒａｎｓｍｉｓｓｉｏｎ  ｒａｎｋ  ｉｎｄｉｃａｔｏｒ）と、Ｋ×Ｌのプリコーディング行列Ｗを指示するＴＰＭＩ（ｔｒａｎｓｍｉｔ  ｐｒｅｃｏｄｉｎｇ  ｍａｔｒｉｘ  ｉｎｄｉｃａｔｏｒ）とが含まれる。
【００８８】
ここで、上記ＰＵＳＣＨスケジューリング情報を端末に送信した後、端末は、上記プリコーディング行列に基づいてＰＵＳＣＨをデジタルプリコーディング処理し、Ｋ個のデータ層を含む送信信号ベクトルを得、該送信信号ベクトルを少なくとも２つのターゲットアンテナパネルにマッピングして送信する。
【００８９】
更に、上記ステップ６０１で端末から送信された上り信号リソースに基づいて、アップリンクのチャネル状態情報ＣＳＩを取得することの前に、前記方法は、端末から少なくとも２つのターゲットアンテナパネルでアナログビームを使用して送信したビームトレーニング信号リソースを取得することと、前記ビームトレーニング信号リソースに対してビーム走査処理を行い、前記ターゲットアンテナパネルの各々に対応するターゲット送信ビームを決定して端末に指示することとを更に含む。
【００９０】
本開示の実施例において、ここでのビームトレーニング信号リソースは、具体的にサウンディング基準信号ＳＲＳリソースである。ＰＵＳＣＨの複数のデータ層が２つのターゲットアンテナパネルに分散されて送信されると仮定すると、基地局ｇＮＢは、まず、アナログビームトレーニングのために２つのＳＲＳリソースセットを構成し、ここで各ＳＲＳリソースセットは、１つのアンテナパネルｐａｎｅｌにマッピングされる。ｐａｎｅｌへのＳＲＳリソースセットの具体的なマッピング方式は、ＵＥの実現に依存する。例えば、ＵＥは、アナログビームトレーニングのための第１ＳＲＳリソースセットをｐａｎｅｌ１にマッピングし、アナログビームトレーニングのための第２ＳＲＳリソースセットをｐａｎｅｌ２にマッピングし、又は、アナログビームトレーニングのための第１ＳＲＳリソースセットをｐａｎｅｌ２にマッピングし、アナログビームトレーニングのための第２ＳＲＳリソースセットをｐａｎｅｌ１にマッピングする。このマッピング順は、ｇＮＢに対して透明である。各ＳＲＳリソースセットは、異なる時間周波数リソースを使用することができる１つのグループのＳＲＳリソースを含む。ＳＲＳリソースセット毎に、ＵＥは、それに対応するｐａｎｅｌ上で、それぞれ異なるアナログビームを用いて各ＳＲＳリソースを送信する。
【００９１】
ｇＮＢは、ビーム走査によって最適な受信ビームを決定する。ｇＮＢは、単一ｐａｎｅｌ伝送の仮定に基づいて、ｐａｎｅｌ毎に最適な受信ビームを選択する。又は、全ｐａｎｅｌがジョイント伝送すると仮定して、最適な受信ビームを得る。このプロセスでは、ｇＮＢは、２つのＳＲＳリソースセットの時間周波数リソース構成（例えば、直交時間周波数リソース、又は同じリソース）で制御する。同時に、ｇＮＢは、ｐａｎｅｌ毎に、各々のＳＲＳリソースセットの中の最適なＳＲＳリソース（［ＳＲＳｏｐｔ，１，ＳＲＳｏｐｔ，２］と表記する）にそれぞれ対応する最適な送信ビーム（［ＢＭｏｐｔ，１，ＢＭｏｐｔ，２］と表記する）を取得する。ＵＥは、制御シグナリングによって、［ＳＲＳｏｐｔ，１，ＳＲＳｏｐｔ，２］を知ることができ、ｐａｎｅｌ毎に推奨するＳＲＳリソースを取得し、アンテナパネル毎に推奨するＳＲＳリソースに基づいて、アンテナパネル毎に最適な送信ビーム（［ＢＭｏｐｔ，１，ＢＭｏｐｔ，２］）を決定する。
【００９２】
なお、上記の記載は、ｇＮＢがｐａｎｅｌ毎に複数の上り送信ビームを推奨することを排除するものではない。具体的には、ｇＮＢは、ｐａｎｅｌ毎に最適なビームを推奨するだけでなく、ｐａｎｅｌ毎に最適なビームの後に並ぶ他のビームを推奨することもできる。これは、上記技術手段から直接的に拡張され得る。上記最適な送信ビーム（ターゲット送信ビーム）は、具体的には最良な受信品質のＳＲＳリソースに対応する送信ビームであり、例えば最も受信信号電力が強いＳＲＳリソースに対応する送信ビームである。
【００９３】
更に、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【００９４】
更に、端末から送信された上り信号リソースに基づいて、アップリンクのチャネル状態情報ＣＳＩを取得することの前に、前記方法は、前記ポートとターゲット送信ビームとの対応関係を端末に指示することを更に含む。
【００９５】
具体的には、各前記ポートとターゲット送信ビームとの対応関係を端末に指示し、又は、ポート群とターゲット送信ビームとの対応関係を端末に指示し、前記ポート群は、少なくとも２つのポートを含む。
【００９６】
本開示の実施例において、ポートとターゲット送信ビームとの対応関係は、以下の２つの方式によって端末に指示される。
【００９７】
方式１：ポート固有指示方式
各前記ポートとターゲット送信ビームとの対応関係を端末に指示する。
ここで、各ポートは、同じ又は異なる上り送信ビームを用いることができる。
【００９８】
方式２：ポート群固有指示方式
ポート群とターゲット送信ビームとの対応関係を端末に指示する。ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【００９９】
本開示の実施例において、上記のいずれの指示方式を採用しても、上記対応関係は、上位層の情報フィールドに対して空間関係情報（ＳｐａｔｉａｌＲｅｌａｔｉｏｎＩｎｆｏ）の構成を行うことによって指示される。もちろん、空間関係情報の他に、他の情報を用いて構成して指示してもよい。例えば、上記方式２では、ＵＥに複数の「ＳｐａｔｉａｌＲｅｌａｔｉｏｎＩｎｆｏ」値を与え、各値に対応するポート群をＵＥに通知する。
【０１００】
ポート群内のポート番号が常に連続している場合、ポート群固有の送信ビーム指示方式を用いた方が適している。例えば、［ｐ１，ｐ２，…，ｐＮ１］＝［１，２，…，Ｎ１］且つ［ｑ１，ｑ２，…，ｑＮ２］＝［Ｎ１＋１，…，Ｎ１＋Ｎ２］のとき、ｇＮＢは、２つの「ＳｐａｔｉａｌＲｅｌａｔｉｏｎＩｎｆｏ」パラメータを構成してよい。そのうちの最初の「ＳｐａｔｉａｌＲｅｌａｔｉｏｎＩｎｆｏ」は、ＳＲＳｏｐｔ，１、即ちポート［１，２，…，Ｎ１］に対応し、２つ目の「ＳｐａｔｉａｌＲｅｌａｔｉｏｎＩｎｆｏ」は、ＳＲＳｏｐｔ，２、即ちポート［Ｎ１＋１，…，Ｎ１＋Ｎ２］に対応する。これにより、より低いＲＲＣオーバーヘッドを占有する。特にポートのグループ分けが半静的に構成される場合である。
【０１０１】
ポート群のポート番号が不連続である場合、上記のいずれの方式を採用してもよい。
【０１０２】
また、ＳＲＳリソースのＳＲＳポートのグループ分けは、半静的又は動的であってよい。半静的方式を採用する場合、ＳＲＳリソースは、そのポート群の数及びグループ毎のポート番号が半静的に構成される。動的方式を採用する場合、そのポート群の数及びグループ毎のポート番号がＬ１動的シグナリングによって通知される（例えばＳＲＳトリガー許可と共に通知される）。グループ分けに動的方式を採用する場合、グループ分け情報（即ち、グループの数及びグループ毎のポート番号）は、上り伝送ビーム情報（ＳｐａｔｉａｌＲｅｌａｔｉｏｎＩｎｆｏ）とともに又は独立して指示されてよい。
【０１０３】
ＳＲＳポート群の数が半静的に構成される場合、各グループ内のＳＲＳポートの番号は、動的に指示される。
【０１０４】
本開示の実施例に係るデータ伝送方法において、端末から送信された上り信号リソースに基づいて、アップリンクのチャネル状態情報ＣＳＩを取得し、前記チャネル状態情報ＣＳＩに基づいて、物理上り共有チャネルＰＵＳＣＨスケジューリング情報を得て端末に送信する。それによって、端末は、前記第２指示情報によって指示されるプリコーディング行列に基づいて、前記ＰＵＳＣＨに含まれるデータ層を少なくとも２つのターゲットアンテナパネルにマッピングして送信し、ＰＵＳＣＨのデータ層を複数のアンテナパネルから同時に伝送するという目的を実現する。
【０１０５】
図７に示すように、本開示の実施例は、端末を更に提供する。前記端末には、アップリンク伝送用の少なくとも２つのアンテナパネルが構成される。前記端末は、トランシーバ７１０と、メモリ７２０と、プロセッサ７００と、メモリ７２０に格納されてプロセッサ７００で実行可能なコンピュータプログラムを含む。前記プロセッサ７００は、前記コンピュータプログラムを実行すると、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器からトランシーバで受信するステップと、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信するステップとを実現する。
【０１０６】
ここで、図７において、バスアーキテクチャは、任意数の相互接続するバスとブリッジを含み、具体的に、プロセッサ７００をはじめとする１つ又は複数のプロセッサとメモリ７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７１０は、複数の部品であってもよく、即ち送信機と受信機を含み、伝送媒体でほかの各種類の装置と通信するユニットとして提供される。ユーザ端末によっては、ユーザインタフェース７３０は、内部接続や外部接続する機器のインタフェースであってもよい。接続する機器は、キーパッド、ディスプレイ、スピーカ、マイクロフォン、ジョイスティックなどを含むが、それらに限られない。
【０１０７】
プロセッサ７００は、バスアーキテクチャと通常の処理を管理する。メモリ７２０は、プロセッサ７００による操作実行に使用されるデータを記憶できる。
【０１０８】
任意選択で、プロセッサ７００は、メモリ７２０からプログラムを読み取ることによって、更に、前記少なくとも２つのターゲットアンテナパネルでアナログビームを使用してビームトレーニング信号リソースを送信するステップと、ネットワーク機器によって指示される前記ターゲットアンテナパネルの各々に対応するターゲット送信ビームであって、前記ビームトレーニング信号リソースからネットワーク機器によって得られるターゲット送信ビームを取得するステップと、各ターゲットアンテナパネルで、前記ターゲットアンテナパネルに対応するターゲット送信ビームを使用して、チャネル状態情報ＣＳＩ取得用の上り信号リソースを送信するステップとを実行する。前記ＰＵＳＣＨスケジューリング情報は、前記上り信号リソースに基づいてネットワーク機器で得られたものである。
【０１０９】
任意選択で、前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【０１１０】
任意選択で、プロセッサ７００は、メモリ７２０からプログラムを読み取ることによって、更に、ネットワーク機器によって指示されるポートとターゲット送信ビームとの対応関係に基づいて、第１ターゲットポートに対応する第１ターゲット送信ビームを決定するステップと、前記第１ターゲット送信ビームに対応する第１ターゲットアンテナパネルで、前記第１ターゲットポートの上り信号リソースを送信するステップとを実行する。
【０１１１】
任意選択で、プロセッサ７００は、メモリ７２０からプログラムを読み取ることによって、更に、前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得るステップと、前記送信信号ベクトルのターゲットデータ層に対応する第２ターゲットポートを取得するステップと、前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信するステップとを実行する。
【０１１２】
任意選択で、プロセッサ７００は、メモリ７２０からプログラムを読み取ることによって、更に、ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択するステップと、前記ターゲットビームトレーニング信号リソースセットの各ビームトレーニング信号リソースを、異なるアナログビームを用いて前記第３ターゲットアンテナパネルで送信するステップとを実行する。
【０１１３】
本開示の一部実施例において、コンピュータプログラムが格納されているコンピュータ読み取り可能な記憶媒体を更に提供し、該コンピュータプログラムがプロセッサによって実行されると、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器からトランシーバで受信するステップと、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信するステップとを実現する。
【０１１４】
該プログラムがプロセッサによって実行されると、上記の端末側に応用されるデータ伝送方法の実施例のすべての実現方式を実現可能であり、重複を避けるために、ここでは繰り返して述べない。
【０１１５】
図８に示すように、本開示の実施例は、アップリンク伝送用の少なくとも２つのアンテナパネルが構成された端末を更に提供し、物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信する受信モジュール８０１と、前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信する第１送信モジュール８０２とを含む。
【０１１６】
本開示の実施例に係る端末は、前記少なくとも２つのターゲットアンテナパネルでアナログビームを使用してビームトレーニング信号リソースを送信する第２送信モジュールと、ネットワーク機器によって指示される前記ターゲットアンテナパネルの各々に対応するターゲット送信ビームであって、前記ビームトレーニング信号リソースからネットワーク機器によって得られるターゲット送信ビームを取得する第１取得モジュールと、各ターゲットアンテナパネルで、前記ターゲットアンテナパネルに対応するターゲット送信ビームを使用して、チャネル状態情報ＣＳＩ取得用の上り信号リソースを送信する第３送信モジュールとを更に含み、前記ＰＵＳＣＨスケジューリング情報は、前記上り信号リソースに基づいてネットワーク機器で得られたものである。
【０１１７】
本開示の実施例に係る端末において、前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【０１１８】
本開示の実施例に係る端末において、前記第３送信モジュールは、ネットワーク機器によって指示されるポートとターゲット送信ビームとの対応関係に基づいて、第１ターゲットポートに対応する第１ターゲット送信ビームを決定する決定サブモジュールと、前記第１ターゲット送信ビームに対応する第１ターゲットアンテナパネルで、前記第１ターゲットポートの上り信号リソースを送信する第１送信サブモジュールとを含む。
【０１１９】
本開示の実施例に係る端末において、前記第１送信モジュールは、前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得る第１取得サブモジュールと、前記送信信号ベクトルのターゲットデータ層に対応する第２ターゲットポートを取得する第２取得サブモジュールと、前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信する第２送信サブモジュールとを含む。
【０１２０】
本開示の実施例に係る端末において、前記第２送信モジュールは、ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択する選択サブモジュールと、前記ターゲットビームトレーニング信号リソースセットの各ビームトレーニング信号リソースを、異なるアナログビームを用いて前記第３ターゲットアンテナパネルで送信する第３送信サブモジュールとを含む。
【０１２１】
本開示の実施例に係る端末は、第１指示情報と第２指示情報とを含む物理上り共有チャネルＰＵＳＣＨスケジューリング情報をネットワーク機器から受信し、前記第２指示情報によって指示されるプリコーディング行列に基づいて、前記ＰＵＳＣＨに含まれるデータ層を少なくとも２つのターゲットアンテナパネルにマッピングして送信することによって、ＰＵＳＣＨのデータ層を複数のアンテナパネルから同時に伝送するという目的を実現する。
【０１２２】
図９に示すように、本開示の実施例は、ネットワーク側機器を更に提供する。該ネットワーク機器は、具体的には基地局であり、メモリ９２０と、プロセッサ９００と、トランシーバ９１０と、バスインタフェースと、メモリ９２０に格納されてプロセッサ９００で実行可能なコンピュータプログラムを含む。前記プロセッサ９００は、メモリ９２０からプログラムを読み取ることによって、端末から送信された上り信号リソースに基づいて、アップリンクのチャネル状態情報ＣＳＩを取得するステップと、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信するステップとを実行する。
【０１２３】
ここで、図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。プロセッサ９００は、バスアーキテクチャと通常の処理を管理する。メモリ９２０は、プロセッサ９００による操作実行に使用されるデータを記憶できる。
【０１２４】
任意選択で、前記プロセッサ９００は、前記コンピュータプログラムを実行すると、更に、端末から少なくとも２つのターゲットアンテナパネルでアナログビームを使用して送信したビームトレーニング信号リソースを取得するステップと、前記ビームトレーニング信号リソースに対してビーム走査処理を行い、前記ターゲットアンテナパネルの各々に対応するターゲット送信ビームを決定して端末に指示するステップとを実現する。
【０１２５】
任意選択で、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【０１２６】
任意選択で、前記プロセッサ９００は、前記コンピュータプログラムを実行すると、更に、前記ポートとターゲット送信ビームとの対応関係を端末に指示するステップを実現する。
【０１２７】
任意選択で、前記プロセッサ９００は、前記コンピュータプログラムを実行すると、更に、各前記ポートとターゲット送信ビームとの対応関係を端末に指示するステップ、又は、ポート群とターゲット送信ビームとの対応関係を端末に指示するステップを実現する。ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【０１２８】
本開示の一部実施例において、コンピュータプログラムが格納されているコンピュータ読み取り可能な記憶媒体を更に提供し、該プログラムがプロセッサによって実行されると、端末から送信された上り信号リソースに基づいて、アップリンクのチャネル状態情報ＣＳＩを取得するステップと、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信するステップとを実現する。
【０１２９】
該プログラムがプロセッサによって実行されると、上記のネットワーク機器側に応用される方法の実施例のすべての実現方式を実現可能であり、重複を避けるために、ここでは繰り返して述べない。
【０１３０】
図１０に示すように、本開示の実施例は、ネットワーク機器を更に提供し、端末から送信された上り信号リソースに基づいて、アップリンクのチャネル状態情報ＣＳＩを取得する第２取得モジュール１００１と、前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信する第４送信モジュール１００２とを含む。
【０１３１】
本開示の実施例に係るネットワーク機器は、更に、端末から少なくとも２つのターゲットアンテナパネルでアナログビームを使用して送信したビームトレーニング信号リソースを取得する第３取得モジュールと、前記ビームトレーニング信号リソースに対してビーム走査処理を行い、前記ターゲットアンテナパネルの各々に対応するターゲット送信ビームを決定して端末に指示する決定モジュールとを含む。
【０１３２】
本開示の実施例に係るネットワーク機器において、前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である。
【０１３３】
本開示の実施例に係るネットワーク機器は、端末から送信された上り信号リソースに基づいて、アップリンクのチャネル状態情報ＣＳＩを第２取得モジュールによって取得する前に、前記ポートとターゲット送信ビームとの対応関係を端末に指示する指示モジュールを更に含む。
【０１３４】
本開示の実施例に係るネットワーク機器において、前記指示モジュールは、各前記ポートとターゲット送信ビームとの対応関係を端末に指示し、又は、ポート群とターゲット送信ビームとの対応関係を端末に指示する。ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である。
【０１３５】
本開示の実施例に係るネットワーク機器は、端末から送信された上り信号リソースに基づいて、アップリンクのチャネル状態情報ＣＳＩを取得し、前記チャネル状態情報ＣＳＩに基づいて、物理上り共有チャネルＰＵＳＣＨスケジューリング情報を得て端末に送信する。それによって、端末は、前記第２指示情報によって指示されるプリコーディング行列に基づいて、前記ＰＵＳＣＨに含まれるデータ層を少なくとも２つのターゲットアンテナパネルにマッピングして送信し、ＰＵＳＣＨのデータ層を複数のアンテナパネルから同時に伝送するという目的を実現する。
【０１３６】
本開示の一部実施例において、コンピュータプログラムが格納されているコンピュータ読み取り可能な記憶媒体を更に提供し、前記コンピュータプログラムがプロセッサによって実行されると、上記の方法の実施例の各プロセスが実現され、且つ同じ効果を奏することができるので、重複を避けるために、ここでは繰り返して述べない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１３７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。電子ハードウェアは、電子回路、特殊用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラミング可能な論理デバイス、プログラミング可能なプロセッサなどを含むが、それらに限られない。
【０１３８】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３９】
本開示で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１４０】
本開示の各実施例において、上記各プロセスの番号の大きさは、実行順の前後を意味するのではなく、各プロセスの実行順は、その機能及び内在的な論理によって確定されるものであり、本開示の実施例の実施プロセスに対しいっさい限定を構成しないと理解すべきである。
【０１４１】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021533701.tif 000008
【図２】
2021533701.tif 000009
【図３】
2021533701.tif 000010
【図４】
2021533701.tif 000011
【図５】
2021533701.tif 000012
【図６】
2021533701.tif 000013
【図７】
2021533701.tif 000014
【図８】
2021533701.tif 000015
【図９】
2021533701.tif 000016
【図１０】
2021533701.tif 000017
【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
アップリンク伝送用の少なくとも２つのアンテナパネルが構成された端末に応用されるデータ伝送方法であって、
物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信することと、
前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信することとを含む、データ伝送方法。
【請求項２】
前記のＰＵＳＣＨスケジューリング情報をネットワーク機器から受信することの前に、
前記少なくとも２つのターゲットアンテナパネルでアナログビームを使用してビームトレーニング信号リソースを送信することと、
ネットワーク機器によって指示される前記ターゲットアンテナパネルの各々に対応するターゲット送信ビームであって、前記ビームトレーニング信号リソースからネットワーク機器によって得られるターゲット送信ビームを取得することと、
各ターゲットアンテナパネルで、前記ターゲットアンテナパネルに対応するターゲット送信ビームを使用して、チャネル状態情報ＣＳＩ取得用の上り信号リソースを送信することとを更に含み、
前記ＰＵＳＣＨスケジューリング情報は、前記上り信号リソースに基づいてネットワーク機器で得られたものである、請求項１に記載のデータ伝送方法。
【請求項３】
前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項２に記載のデータ伝送方法。
【請求項４】
前記の各ターゲットアンテナパネルで、前記ターゲットアンテナパネルに対応するターゲット送信ビームを使用して、チャネル状態情報ＣＳＩ取得用の上り信号リソースを送信することは、
ネットワーク機器によって指示されるポートとターゲット送信ビームとの対応関係に基づいて、第１ターゲットポートに対応する第１ターゲット送信ビームを決定することと、
前記第１ターゲット送信ビームに対応する第１ターゲットアンテナパネルで、前記第１ターゲットポートの上り信号リソースを送信することとを含む、請求項３に記載のデータ伝送方法。
【請求項５】
前記の前記第２指示情報によって指示されるプリコーディング行列に基づいて、前記ＰＵＳＣＨに含まれるデータ層を少なくとも２つのターゲットアンテナパネルにマッピングして送信することは、
前記第２指示情報によって指示されるプリコーディング行列に基づいて、前記ＰＵＳＣＨのＬ個のデータ層に対してプリコーディング処理を行い、１つの前記ポートに対応するデータ層をＫ個含む送信信号ベクトルを得ることと、
前記送信信号ベクトルのターゲットデータ層に対応する第２ターゲットポートを取得することと、
前記第２ターゲットポートとのマッピング関係を有するアンテナパネルである第２ターゲットアンテナパネルで、前記第２ターゲットポートに対応する第２ターゲット送信ビームを使用して、前記送信信号ベクトルのターゲットデータ層を送信することとを含む、請求項３に記載のデータ伝送方法。
【請求項６】
前記少なくとも２つのターゲットアンテナパネルでアナログビームを使用してビームトレーニング信号リソースを送信することは、
ネットワーク機器が前記ターゲットアンテナパネル毎に構成したビームトレーニング信号リソースセットであって、各々に少なくとも１つのビームトレーニング信号リソースを含むビームトレーニング信号リソースセットから、前記少なくとも２つのターゲットアンテナパネルのうちのいずれかである第３ターゲットアンテナパネルに対応するターゲットビームトレーニング信号リソースセットを選択することと、
前記ターゲットビームトレーニング信号リソースセットの各ビームトレーニング信号リソースを、異なるアナログビームを用いて前記第３ターゲットアンテナパネルで送信することとを含む、請求項２に記載のデータ伝送方法。
【請求項７】
ネットワーク機器に応用されるデータ伝送方法であって、
端末から送信された上り信号リソースに基づいて、アップリンクのチャネル状態情報ＣＳＩを取得することと、
前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信することとを含む、データ伝送方法。
【請求項８】
端末から送信された上り信号リソースに基づいて、アップリンクのチャネル状態情報ＣＳＩを取得することの前に、
端末から少なくとも２つのターゲットアンテナパネルでアナログビームを使用して送信したビームトレーニング信号リソースを取得することと、
前記ビームトレーニング信号リソースに対してビーム走査処理を行い、前記ターゲットアンテナパネルの各々に対応するターゲット送信ビームを決定して端末に指示することとを更に含む、請求項７に記載のデータ伝送方法。
【請求項９】
前記上り信号リソースは、Ｋ個のポートを含む上り信号リソースであり、Ｋは、端末の少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項７に記載のデータ伝送方法。
【請求項１０】
端末から送信された上り信号リソースに基づいて、アップリンクのチャネル状態情報ＣＳＩを取得することの前に、
前記ポートとターゲット送信ビームとの対応関係を端末に指示することを更に含む、請求項９に記載のデータ伝送方法。
【請求項１１】
前記ポートとターゲット送信ビームとの対応関係を端末に指示することは、
各前記ポートとターゲット送信ビームとの対応関係を端末に指示すること、又は、ポート群とターゲット送信ビームとの対応関係を端末に指示することを含み、
ここで、前記Ｋ個のポートは、Ｄ個のポート群に分割され、且つ前記Ｄ個のポート群の中に少なくとも１つのターゲットポート群が存在し、前記ターゲットポート群は、少なくとも２つのポートを含むポート群であり、Ｄは、１より大きい正の整数である、請求項１０に記載のデータ伝送方法。
【請求項１２】
アップリンク伝送用の少なくとも２つのアンテナパネルが構成された端末であって、
物理上り共有チャネルＰＵＳＣＨに含まれるデータ層を指示するための第１指示情報と、プリコーディング行列を指示するための第２指示情報とを含むＰＵＳＣＨスケジューリング情報をネットワーク機器から受信する受信モジュールと、
前記第２指示情報によって指示されるプリコーディング行列に基づいて、前記ＰＵＳＣＨに含まれるデータ層を、前記端末の少なくとも２つのアンテナパネルのうち、ＰＵＳＣＨ伝送用のアンテナパネルである少なくとも２つのターゲットアンテナパネルにマッピングして送信する第１送信モジュールとを含む、端末。
【請求項１３】
前記少なくとも２つのターゲットアンテナパネルでアナログビームを使用してビームトレーニング信号リソースを送信する第２送信モジュールと、
ネットワーク機器によって指示される前記ターゲットアンテナパネルの各々に対応するターゲット送信ビームであって、前記ビームトレーニング信号リソースからネットワーク機器によって得られるターゲット送信ビームを取得する第１取得モジュールと、
各ターゲットアンテナパネルで、前記ターゲットアンテナパネルに対応するターゲット送信ビームを使用して、チャネル状態情報ＣＳＩ取得用の上り信号リソースを送信する第３送信モジュールとを更に含み、
前記ＰＵＳＣＨスケジューリング情報は、前記上り信号リソースに基づいてネットワーク機器で得られたものである、請求項１２に記載の端末。
【請求項１４】
前記上り信号リソースは、Ｋ個のポートを含む上り信号リソースであり、Ｋは、前記少なくとも２つのターゲットアンテナパネルのデジタルチャネル数の和であり、Ｋ個のポートは、少なくとも２つの前記ターゲットアンテナパネルにマッピングされ、Ｋは、正の整数であり、且つＫは、Ｌ以上であり、Ｌは、ＰＵＳＣＨに含まれるデータ層の数である、請求項１３に記載の端末。
【請求項１５】
ネットワーク機器であって、
端末から送信された上り信号リソースに基づいて、アップリンクのチャネル状態情報ＣＳＩを取得する第２取得モジュールと、
前記チャネル状態情報ＣＳＩに基づいて、物理上り共有チャネルＰＵＳＣＨに含まれるデータ層を指示するための第１指示情報と、プリコーディング行列を指示するための第２指示情報とを含むＰＵＳＣＨスケジューリング情報を得て端末に送信する第４送信モジュールとを含む、ネットワーク機器。
【国際調査報告】
2021533701.tif 000018
2021533701.tif 000019
2021533701.tif 000020
2021533701.tif 000021
2021533701.tif 000022